(57)【要約】 【課題】  操作ハンドルのスプーンを外側障子の受け金具に係合する前に、例えば不注意によりダイヤル部材を施錠位置へと回した後であっても、操作ハンドルを、回すことができると共に、操作ハンドルの回転をロック状態に阻止し得ること。【解決手段】  ケース本体、このケ―ス本体に回動可能に装着される操作ハンドル、ケース本体に回動自在に組込まれるダイヤル部材、該ダイヤル部材の操作に基づき前記操作ハンドルの回転を施錠状態に阻止又は解錠状態に許容する施・解錠手段を備えたクレセント錠に於いて、前記ダイヤル部材を施錠位置へと回した後に、前記操作ハンドルのスプーンを外側障子の受け金具に係合するように回すと、ケース本体に上下動可能に配設された施・解錠手段のスライド板は、操作ハンドルの軸部の係合板との摺接関係と、ケース本体内のクラッチバネの弾性変位ないし弾性復帰との関係により作動して操作ハンドルの回転をロック状態に阻止することを特徴とするクレセント錠。【選択図】  図１２
2006037658.tif 000002
【特許請求の範囲】
【請求項１】
長箱状のケース本体、このケ―ス本体に回動可能に装着される操作ハンドル、ケース本体に回動自在に組込まれるダイヤル部材、該ダイヤル部材の操作に基づき前記操作ハンドルの回転を施錠状態に阻止又は解錠状態に許容する施・解錠手段を備えたクレセント錠に於いて、前記ダイヤル部材を施錠位置へと回した後に、前記操作ハンドルのスプーンを外側障子の受け金具に係合するように回すと、ケース本体に上下動可能に配設された施・解錠手段のスライド板は、操作ハンドルの軸部の係合板との摺接関係と、ケース本体内のクラッチバネの弾性変位ないし弾性復帰との関係により作動して操作ハンドルの回転をロック状態に阻止することを特徴とするクレセント錠。
【請求項２】
請求項１に於いて、施・解錠手段は、ダイヤル部材と係脱するようにケ―ス本体に軸支された駆動アームと、該駆動アームと係合する一端部から操作ハンドルの係合板に当接可能な位置まで延びた他端部を有するスライド板と、前記係合板と他端部との摺接関係によってスライド板が上下動した際に弾性変位ないし弾性復帰するクラッチバネとを含むことを特徴とするクレセント錠。
【請求項３】
請求項１に於いて、スライド板は、一端部に駆動アームと係合する肩部を有する片腕状に形成され、腕状の他端部には、係合板の突起部と対面する突起状のストッパー部が形成されていることを特徴とするクレセント錠。
【請求項４】
請求項１ないし請求項３のいずれかに於いて、クラッチバネは、スライド板の一端部に形成された被係合部に組み込まれ、駆動アームを介して弾性変位ないし弾性復帰することを特徴とするクレセント錠。
【請求項５】
請求項１に於いて、スライド板は、案内部を複数個有することを特徴とするクレセント錠。
【発明の詳細な説明】
【技術分野】
【０００１】
本発明は、本考案は家屋やビルなどの窓に盗難防止用の施錠装置として取付けられるクレセント錠に関する。
【背景技術】
【０００２】
文献１，２には、「長箱状のケース本体、このケ―ス本体に回動可能に装着される操作ハンドル、ケース本体に回動自在に組込まれるダイヤル部材、該ダイヤル部材の操作に基づき前記操作ハンドルの回転を施錠状態に阻止又は解錠状態に許容する施・解錠手段を備えたクレセント錠」が開示されている。
【０００３】
例えば文献１のクレセント錠は、サッシの側壁に固設されるケース本体と、このケース本体に回動可能に装着され、かつ、嵌合突起軸に係合板を有する操作レバーと、この操作レバーと分離して前記ケース本体内に軸支され、かつ、周側部に凹所を有する回転子を回転させるダイヤル部材と、このダイヤル部材と前記係合板との間に係合頭部が位置するようにケース本体内に軸支され、かつ、前記係合頭部が施錠時は係合板に、一方、解錠時は回転子にそれぞれ係合するロッキング板と、このロッキング板を常時回転子の凹所の方向に付勢することができるようにケース本体内に適宜に設けられたバネ部材を備えている。
【０００４】
したがって、操作ハンドルのスプーンを受け金具に係合させた後に、ダイヤル部材を施錠位置へと任意に回すと、操作ハンドルの軸部の係合板はロッキング板に回転しないように係止されるから、操作ハンドルは施錠状態になる。
【０００５】
しかし、従来のこの種のクレセント錠は、操作ハンドルのスプーンを外側障子の受け金具に係合する前に、例えば不注意によりダイヤル部材を施錠位置へと回すと、操作ハンドルを回すことができないか、仮に回せたとしても、そのまま操作ハンドルの回転をロック状態に阻止し得る訳ではなかった。
【特許文献１】実用新案登録第２６０５３６５号公報
【特許文献２】実用新案登録第２６０３１７４号公報
【発明の開示】
【発明が解決しようとする課題】
【０００６】
本発明の第１の目的は、操作ハンドルのスプーンを外側障子の受け金具に係合する前に、例えば不注意によりダイヤル部材を施錠位置へと回した後であっても、操作ハンドルを、そのスプーンが外側障子の受け金具に係合するように回すと、そのまま操作ハンドルの回転をロック状態に阻止し得るクレセント錠を提案すること。第２の目的は、各構成部材をケース本体内に合理的に組み込むこと。第３の目的は、スライド板を安定的に上下動するように案内することである。
【課題を解決するための手段】
【０００７】
本発明のクレセント錠は、長箱状のケース本体、このケ―ス本体に回動可能に装着される操作ハンドル、ケース本体に回動自在に組込まれるダイヤル部材、該ダイヤル部材の操作に基づき前記操作ハンドルの回転を施錠状態に阻止又は解錠状態に許容する施・解錠手段を備えたクレセント錠に於いて、前記ダイヤル部材を施錠位置へと回した後に、前記操作ハンドルのスプーンを外側障子の受け金具に係合するように回すと、ケース本体に上下動可能に配設された施・解錠手段のスライド板は、操作ハンドルの軸部の係合板との摺接関係と、ケース本体内のクラッチバネの弾性変位ないし弾性復帰との関係により作動して操作ハンドルの回転をロック状態に阻止することを特徴とする。
【０００８】
上記構成に於いて、施・解錠手段は、ダイヤル部材と係脱するようにケ―ス本体に軸支された駆動アームと、該駆動アームと係合する一端部から操作ハンドルの係合板に当接可能な位置まで延びた他端部を有するスライド板と、前記係合板と他端部との摺接関係によってスライド板が上下動した際に弾性変位ないし弾性復帰するクラッチバネとを含むことを特徴とする。また、スライド板は、一端部に駆動アームと係合する肩部を有する片腕状に形成され、腕状の他端部には、係合板の突起部と対面する突起状のストッパー部が形成されていることを特徴とする。さらに、クラッチバネは、スライド板の一端部に形成された被係合部に組み込まれ、駆動アームを介して弾性変位ないし弾性復帰することを特徴とする。
【発明の効果】
【０００９】
（１）操作ハンドルのスプーンを外側障子の受け金具に係合する前に、例えば不注意によりダイヤル部材を施錠位置へと回した後であっても、操作ハンドルを、そのスプーンが外側障子の受け金具に係合するように回すことができると共に、操作ハンドルを戻すことができないようにそのまま操作ハンドルの回転をロック状態に阻止することができる。
（２）構成部材をケース本体内に合理的に組み込んだので、ケース本体内のスペースを有効的に活用することができる。
（３）案内部を複数個有する実施例によっては、スライド板は安定的に上下動する。
【発明を実施するための最良の形態】
【００１０】
以下、図１乃至図１２に示す本発明を実施するための最良の形態により説明する。
【００１１】
（１）基本的な構成部材
図１ないし図１２に於いて、Ｘはダイヤル錠付クレセントである（以下、「クレセント錠」と言う。）。このクレセント錠Ｘは、構成要件を大きく区分すると、長箱状のケース本体１と、このケ―ス本体１に回動可能に装着される操作ハンドル１２と、ケース本体に回動自在に組込まれるダイヤル部材２２と、該ダイヤル部材の操作に基づき前記操作ハンドルの回転を施錠状態に阻止又は解錠状態に許容する腕状スライド板３２及び駆動部材３３（駆動アーム３４，クラッチバネ３５）を含む施・解錠手段３１とから成る。そこで、以下これらの構成要件の各主要部を中心に説明する。
【００１２】
（２）ケース本体
ケース本体１は、一側面開口の長箱状に形成され、内側障子の側壁の中央部に固着具を介して縦方向に固定される。図１は、ケース本体１から裏板を外した状態に於いて、ダイヤル部材２２を指で施錠位置へと任意に回した後に、操作ハンドル１２を仮想線で示した係合位置へと回し、その結果、外側障子の側壁に固設した受け金具にそのスプーン１６が係合すると同時に、施・解錠手段３１を構成する片腕状スライド板３２がクラッチバネ３５の弾性復帰力により下方方向（ストッパー位置）へ自動的に摺動し、スライド板３２の上端部の突起状ストッパー部（左手部分）３２ｃが操作ハンドル１２の軸部の係合板１７の折れ曲り状突起部２０に対面し、操作ハンドル１２の回転を阻止する状態となったことを示す（ハンドルロック状態）。このハンドルロック状態では、操作ハンドル１２を矢印Ａ方向（反時計方向）へ回すことができない。
【００１３】
ここで、図１を基準にしてケース本体１の各部位や取付け部を説明する。２は上端部（一端部）で、この上端部側には、第１取付け孔が上下（垂直）方向に形成され、或いは第１取付け孔を有するブロック状第１取付け部３が固定的に嵌着し、あるいは段差状に形成されている。一方、４は下端部（他端部）で、この下端部側には後述するダイヤル部材２２や片腕状スライド板３２の幅広部（左肩部分）３２ａ用の収納凹所５が形成されている。
【００１４】
６は中央部（中央部寄りの部位も含む）で、この中央部６には第２取付け孔が上下（垂直）方向に形成され、或いは第２取付け孔を有するブロック状第２取付け部７が固定的に嵌着し、あるいは段差状に形成されている。例えば長孔状の取付け孔を有するブロック状第１取付け部３及び第２取付け部７は、特に断面で図示しないが、肉厚状に形成され、設計上の必要性に対応して切欠部、バネ支持ピン用の孔等が適宜に形成されている。
【００１５】
８は一方の側壁（図１では左側壁）で、この左側壁８の下端部は、外方向にやや弧状８ａに突出し、かつ、該弧状突起部８ａにはダイヤル部材２２の標識本体の外周部が食み出る透孔が形成されている。一方、９は他方の側壁（図１では右側壁）で、この右側壁９の下端部は段差状に形成され、あるいはストッパー部９ａが設けられ、該ストッパー部９ａにはスライド板３２の幅広部３２ａの下端面が当接可能である。
【００１６】
さらに、ケース本体１の左側壁８の内壁面と前述したブロック状第１取付け部３の下端面と収納凹所５とで境界付けられる部分は、片腕状スライド板の突起状ストッパー部（左手部分ないし細長状の腕部）３２ｂが嵌合可能な案内凹所１０となっている。その他、ケース本体１には、操作ハンドル用軸孔等が形成されている。
【００１７】
（３）操作ハンドル
図１、図２で示す仮想線は、ケース本体１の装着部に軸部が回動自在に嵌め込まれる操作ハンドル１２である。この操作ハンドル１２は、操作摘み部１３と、この操作摘み部１３の先端部に連設し、かつ、ケース本体１の軸孔に嵌入する嵌合突起軸１４と、この嵌合突起軸１４の外方に連設し、かつ、外障子の側壁の受け金具１５と係合する半円弧状のスプーン（係合部）１６とを備えている。
【００１８】
しかして、図３で示すように嵌合突起軸１４の内端部は角軸に形成され、該角軸部１４には係合板１７が一体的に嵌着している。係合板１７は、角形の軸孔１８を有する非円形状の嵌合部１９と、この嵌合部１９の周壁から折れ曲り状に軸孔（軸芯）方向に突出する突起部２０と、前記周壁の垂直部分から軸孔方向に突出するバネ端取付け部２１とを有している。なお、細部的事項なので、特に図示しないが、嵌合突起軸１４には係合板１７が外れないように座板を介して固着具が螺合する。
【００１９】
（４）ダイヤル部材
図４及び図５にダイヤル部材２２を示す。ダイヤル部材２２は、ケース本体１の下端部の収納凹所５側に組み込まれ、かつ、一方の側壁９の弧状突起部８ａから標識２３を有する操作部本体２４の外周部が常に食み出るように該ケース本体１に回動可能に軸支されている。したがって、ダイヤル部材２２は、図１で示すように操作ハンドル１２の嵌合突起軸１４に対して相当離間して、かつ、一方の側壁８側にオフセットした状態でケース本体１に装着されている。
【００２０】
しかして、ダイヤル部材２２は、図４及び図５で示すように、本実施例では環状外壁面に「１」〜「０」等のダイヤル標識２３を有する操作部本体２４と、この操作部本体２４の一側面に形成された嵌合凹所２４ａに一体的に嵌着する係合円盤２５と、この係合円盤２５と対向するドーナツ状の回転子２６とから成り、前記係合円盤２５の突壁状の環状部の内周面には、軸孔に臨む駆動爪２７が突設され、一方、前記回転子２６の対向面には、前記駆動爪２７と係合可能な従動爪２８が突設されている。
【００２１】
また、本体の一部を構成する駆動側の係合円盤２５と従動側の回転子２６の周側部には、施・解錠手段３１を構成する駆動アーム３４の一端部が係脱可能な逃し用凹所２９，３０がそれぞれ形成されている。
【００２２】
なお、本実施例ではダイヤル部材２２は、ダイヤル部材２２の係合円盤２５と標識を有さない回転子２６との組合せであるが、この回転子２６の外周面に「１」〜「０」等のダイヤル標識を設けて第２のダイヤル部材とし、第１のダイヤル部材２２と同様に第２のダイヤル部材の外周部もケース本体１の弧状突起部８ａから露出するように構成しても良い。また、ダイヤル部材２２は、ケース本体１に適宜に軸支されている。
【００２３】
（５）施・解錠手段
施・解錠手段３１は、ダイヤル部材２２の操作に基づき操作ハンドル１２の回転を施錠状態に阻止又は解錠状態に許容する（図７，図８，図１１）。また、本実施例の施・解錠手段３１は、ダイヤル部材２２を施錠位置へと回した後に、操作ハンドル１２のスプーンを外側障子の受け金具に係合するように回すと、ケース本体１に上下動可能に配設された施・解錠手段３１のスライド板３２は、操作ハンドル１２の軸部１４の係合板１７との摺接関係と、ケース本体内のクラッチバネ３５の弾性変位ないし弾性復帰との関係により作動して操作ハンドル１２を戻すことができないようにハンドルロック状態にする（図１２）。特に、後者の構成は、従来のクレセント錠には全く見られなかった新規事項である。
【００２４】
そこで、本発明の施・解錠手段３１は、ダイヤル部材２２と係脱するようにケ―ス本体１に軸支された駆動アーム３４と、該駆動アーム３４と係合する幅広状の一端部３２ａから操作ハンドル１２の係合板１７に当接可能な位置まで延びた突起状の他端部３２ｃを有する縦長状のスライド板３２と、前記係合板１７と突起状の他端部３２ｃとの摺接関係によってスライド板３２が上下動した際に、例えば前記駆動アーム３４を介して弾性変位ないし弾性復帰するようにスライド板３２に設けられたクラッチバネ３５とを含む。
【００２５】
特に図６を参照にして施・解錠手段３１の構成部材を説明する。３２はケース本体１の収納凹所５及び上下方向の案内凹所１０に上下動自在に組み込まれる腕状スライド板３２である。この腕状スライド板３２は、本実施例では肩部３２ａを含む片腕状に形成されている。
【００２６】
まず、３２ａは収納凹所５に位置する左肩部分の幅広案内部で、この幅広案内部３２ａには、駆動部材３３を構成する駆動アーム３４の他端部の駆動ピン３６が係合する透孔状被係合部分３７が形成されている。この被係合部分３７は、例えば横方向の嵌合孔３７ａと、この嵌合孔３７ａに連通する垂直方向の係合孔３７ｂとを有し、前記嵌合孔３７ａに駆動部材３３を構成するクラッチバネ（Ｕ字型の板バネ）３５が弾性変位ないし弾性復帰可能に嵌め込まれ、一方、前記係合孔３７ｂには、クラッチバネ３５の上方部分に前記駆動ピン３６が乗っかるように差し込まれている。なお、細部的事項ではあるが、被係合部分３７はクラッチバネ３５を安定的に支持することが可能な段差面を有している。
【００２７】
ここで、レバー状の駆動アーム３４の構成について説明する。駆動アーム３４は、中心部にケース本体１に横設軸架された横軸４１用の軸孔が形成され、該軸孔を基準にして一端部（図１では左側）には、ダイヤル部材２２の逃がし用凹所２９，３０と係脱可能な係合頭部３９が形成され、一方、他端部（図１では右側）には前述した駆動ピン３６が固定的に設けられている。
【００２８】
そして、図７及び図８で示すように、前記横軸４１にはアームバネ３８の中央部が巻装され、該アームバネ３８の一端部は駆動アーム３４の係合頭部３９に支持され、一方、その他端部はスライド板３２の幅広状の一端部３２ａに突設したバネ端支持部３２ｄに支持されている。
【００２９】
したがって、駆動アーム３４は、該アームバネ３８により、その係合頭部３９が常時ダイヤル部材２２に周面に圧接する方向に付勢されていると共に、前記係合頭部３９がダイヤル部材２２の逃がし用凹所２９，３０に係合すると、他端部の駆動ピン３６がスライド板３２を持ち上げる。それ故に、ダイヤル部材２２が解錠状態（番号一致）になると、アームバネ３８は、駆動アーム３４を介してスライド板３２を持ち上げ、ストッパー部３２ｃを操作ハンドル１２の係合板１７から離す（図８）。
【００３０】
次に、３２ｂは幅広案内部３２ａの上端部に連設する細幅の腕状案内部で、この腕状案内部３２ｂは一方の側壁８ａの内壁面に面接触状態で摺接するように上下方向の案内凹所１０に位置している。したがって、本実施例の腕状スライド板３２は、上下方向に移動する際に、該腕状案内部３２ｂと他方の側壁９ａの内壁面を摺接する幅広案内部３２ａによって安定的に案内される。
【００３１】
次に、３２ｃは腕状案内部３２ｂの上端部に連設する突起状ストッパー部（左手部分）で、該ストッパー部３２ｃは、操作ハンドル１２の係合板１７の突起部２０に対面した時にその機能を発揮する（操作ハンドルの回転阻止機能）。
【００３２】
（６）その他の構成
図１で示すように、係合板１７のバネ端取付け部２１とケース本体１側に設けた支持ピン４３には引きバネ４２の端部がそれぞれ取付けられている。この引きバネ４２は、操作ハンドル１２を係合方向に回した場合（図２）と非係合方向に回した場合（図１０）とでは、上端部の位置が右、左に切り替わる。この引きバネ４２は、望ましくは、操作ハンドル１２を所定の位置（垂直な施錠位置、垂直な解錠位置）まで簡単に回るように意図して設けられている。すなわち、受け金具１５に対して操作ハンドル１２のスプーン１６を係合させる場合、又は受け金具１５からスプーン１６を外す場合には、引きバネ４２が存在するために、中途半端な係脱を極力防止することができる。
【００３３】
（７）作用…施錠時
本発明の特徴点に絞って説明する。「（２）ケース本体」の箇所で既に説明したように、図１は、ケース本体１から裏板を外した状態に於いて、ダイヤル部材２２を指で施錠位置へと任意に回した後に、操作ハンドル１２を仮想線で示した係合位置へと回し、その結果、外側障子の側壁に固設した受け金具にそのスプーン１６が係合すると同時に、施・解錠手段３１を構成する片腕状スライド板３２がクラッチバネ３５の弾性復帰力により下方方向（ストッパー位置）へ自動的に摺動し、スライド板３２の上端部の突起状ストッパー部（左手部分）３２ｃが操作ハンドル１２の軸部の係合板１７の折れ曲り状突起部２０に対面し、操作ハンドル１２の回転を阻止する状態となったことを示す（ハンドルロック状態）。
【００３４】
図１２は、上述の説明を動的に示したものである。図１２に於いて、左側の図は、例えば不注意により（もちろん、意識的でも良い）により、ダイヤル部材２２を施錠位置（ここでは、駆動アーム３４の係合頭部３９が逃がし用凹所２９又は／及び３０から外れた場合を意味する。）にした後に、操作ハンドル１２を矢印Ｂ方向へ回している状態を示す。この時、操作ハンドル１２と共に係合板１７も矢印Ｂ方向へ回る。
【００３５】
次に中間の図面は、操作ハンドル１２がさらに回り、その摘み部１３が１１時方向まで移行し続け、スプーン１６が受け金具１５に係合中である状態を示す。この時、係合板１７の突起部２０がスライド板３２のストッパー部３２ｃの内側弧状面に摺接係合するので、スライド板３２は係合板１７の突起部２０によりクラッチバネ３５のバネ力に抗して矢印Ｃ方向へ持ち上げられる。クラッチバネ３５は、ダイヤル部材２２で所定位置に規制されている駆動アーム３４の他端部とスライド板３２の被係合部３７の孔縁面に挟まれていることから、スライド板３２が上昇すると弾性変位する。
【００３６】
最後に、右側の図面は、操作ハンドル１２がさらに回り、その摘み部１３が略垂直状態になると共に、スプーン１６が受け金具１５に完全に係合した状態を示す。この時、係合板１７の突起部２０がストッパー部３２ｃの内側弧状面を通過したので、クラッチバネ３５が弾性復帰する。そうすると、スライド板３２はクラッチバネ３５のバネ力により矢印Ｄ方向に下降し、前記ストッパー部３２ｃと係合板１７の突起部２０とが対面状態となる。これが操作ハンドル１２に対する施・解錠手段３１のハンドルロック状態である。このハンドルロック状態では、操作ハンドル１２を矢印Ａ方向（反時計方向）へ戻すことができない（スプーン１６を受け金具１５から外すことができない）。
【００３７】
（８）作用…解錠時
図９、図１０は、操作ハンドルの回転を許容する状態の解錠時を示す。解錠する目的でダイヤル部材１７を暗証番号に基づいて指で左右に回すと、駆動部材３３の駆動アーム３４がアームバネ３８のバネ力により解錠方向へ作動する。本実施例では、暗証番号が一致すると、駆動部材３３の駆動アーム３４が横軸４１を支点に反時計方向に所定量回転するので、スライド板３２はアームバネ３８のバネ力により、かつ、駆動アーム３４の他端部を介して押し上げられる。この時、駆動アーム３４の係合頭部３９はダイヤル部材２２の逃がし用凹所２９，３０に係合する反面、スライド板３２のストッパー部（左手部分）３２ｃが操作ハンドル１７の係合板１７の突起部２０から離れる。したがって、操作ハンドル１７のスプーン１６を受け金具１５から外す方向へと回すことができる。この時、引きバネ４２が存在するので、操作ハンドル１７は完全に垂直位置まで回転する（図１０）。
【実施例】
【００３８】
発明の実施の形態で示した実施例に於いて、駆動部材３３のクラッチバネ３５は、スライド板３２の被係合部３７に設けられているが、該クラッチバネ３５をケース本体１内の適宜箇所に設けても良い。本発明の本質的事項は、操作ハンドル１２のスプーン１６が受け金具１５から外れている状態に於いて、ダイヤル部材２２を任意に回しても、操作ハンドル１２をハンドルロックの方向へ回し、かつ、操作ハンドル１２の回転をロック状態に阻止し得ることにあるから、細部的事項は設計変更可能である。
【産業上の利用可能性】
【００３９】
本発明は、主に錠前や建具の業界で利用される。
【図面の簡単な説明】
【００４０】
図１乃至図１２は本発明の最良の実施例を示す各説明図。
【図１】操作ハンドルの回転をロック状態に阻止した状態の概略説明図。
【図２】図１に於いて、操作ハンドルの係合板とスライド板のストッパー部との位置関係を示す説明図。
【図３】操作ハンドルの軸部と係合板と引きバネとの関係を示す分解斜視図。
【図４】ダイヤル部材の一例を示す斜視図。
【図５】ダイヤル部材の組み合わせを示す説明図。
【図６】施・解錠部材の分解斜視図。
【図７】ダイヤル部材を施錠位置へ回した時の概略説明図。
【図８】ダイヤル部材を解錠位置（番号一致）に回した時の概略説明図。
【図９】ダイヤル部材を解錠位置（番号一致）になり、かつ、操作ハンドルのスプーンを受け金具から外した状態の概略説明図。
【図１０】図９に於いて、操作ハンドルの係合板とスライド板のストッパー部との位置関係を示す説明図。
【図１１】スプーンが受け金具に係合している状態に於いて、ダイヤル部材を回した時の説明図。
【図１２】ダイヤル部材を施錠位置へ回した後に、操作ハンドルを回し、ハンドルロック状態にした概略説明図。
【符号の説明】
【００４１】
Ｘ…クレセント錠、１…ケ―ス本体、２…上端部、４…下端部、１０…案内凹所、１２…操作ハンドル、１３…操作摘み部、１４…嵌合突起軸、１５…受け金具、１６…スプーン（係合部）、１７…係合板、１８…軸孔、１９…嵌合部、２０…係合板の突起部、２１…バネ端取付け部、２２…ダイヤル部材、２３…ダイヤル標識、２４…操作部本体、２５…係合円盤、２６…回転子、２７…駆動爪、２８…従動爪、２９，３０…逃し用凹所、３１…施・解錠手段、３２…スライド板、３２ａ…一端部、幅広部（左肩部分）、３２ｃ…他端部、突起状ストッパー部（左手部分）、３３…駆動部材、３４…駆動アーム、３５…クラッチバネ、３６…駆動ピン、３７…被係合部、３８…アームバネ、３９…係合頭部。
【図１】
2006037658.tif 000003
【図２】
2006037658.tif 000004
【図３】
2006037658.tif 000005
【図４】
2006037658.tif 000006
【図５】
2006037658.tif 000007
【図６】
2006037658.tif 000008
【図７】
2006037658.tif 000009
【図８】
2006037658.tif 000010
【図９】
2006037658.tif 000011
【図１０】
2006037658.tif 000012
【図１１】
2006037658.tif 000013
【図１２】
2006037658.tif 000014